(57)【要約】  この発明は、動物の外被用のミット（１１）およびグルーミングキットに関する。ミット（１１）は、マイクロファイバ（１５）からなる少なくとも１つの清掃面（１３）と、ブラシタイプのカバリング（１９）を有する第２の清掃面（１７）とを含む。マイクロファイバ面は、毛管作用により、比較的大量の水分を吸収でき、前記水分は次に、グルーミングされる動物の外被に、その外被がマイクロファイバ面を用いて処置される場合に容易に移される。剛毛の個々の束からなるブラシタイプのカバリング（１９）は、水分を外被の内部に移し、同時に、前記外被から異物を除去するために使用される。ミット（１１）の内部（２７）には、個々の指または随意で手全体を挿入できるループ（２９）が設けられている。ループ（２９）は良好なグリップを可能にし、手がグローブの中で滑らないことを確実にする。
2005510219.tif 000002
【特許請求の範囲】
【請求項１】
２つの異なる清掃面を有する清掃グローブであって、第１の清掃面（１３）はマイクロファイバ（１５）で覆われ、第２の清掃面（１７）は第１の清掃面（１３）とは異なっており、ブラシタイプのカバリング（１９）を有する、清掃グローブ。
【請求項２】
グローブの第１の清掃面（１３）は、マイクロファイバ（１５）で作られたパイルを有することを特徴とする、請求項１に記載のグローブ。
【請求項３】
マイクロファイバは、５ｄｔｅｘ以下、好ましくは２ｄｔｅｘ以下、さらにより好ましくは１ｄｔｅｘ以下の繊度を有することを特徴とする、請求項２に記載のグローブ。
【請求項４】
第１の清掃面（１３）は、マイクロファイバから形成された（パイル）糸またはスリング（ループ）で覆われていることを特徴とする、請求項１〜３のいずれかに記載のグローブ。
【請求項５】
マイクロファイバは、伸ばされた状態で７〜１５ｍｍの長さを有することを特徴とする、請求項１〜４のいずれかに記載のグローブ。
【請求項６】
ブラシタイプのカバリング（１９）は、ポリエステル、ポリアミド、またはポリプロピレンで作られた剛毛を有することを特徴とする、請求項１〜５のいずれかに記載のグローブ。
【請求項７】
ブラシタイプのカバリング（１９）は、互いから少し離れて配置された複数の剛毛の束からなることを特徴とする、請求項６に記載のグローブ。
【請求項８】
剛毛の束は、バンドヤーンまたはマルチフィルヤーンから得られることを特徴とする、請求項１〜７のいずれかに記載のグローブ。
【請求項９】
剛毛の束は、平均して少なくとも１０本、好ましくは２０本を超える、さらにより好ましくは５〜５０本の小さな剛毛からなることを特徴とする、請求項７または請求項８に記載のグローブ。
【請求項１０】
グローブの少なくとも１つの内面に、手または数本の個々の指が挿入されるループが設けられていることを特徴とする、請求項１〜９のいずれかに記載のグローブ。
【請求項１１】
ループ（２９）は、生地バンドまたはプラスチックバンドで作られていることを特徴とする、請求項１０に記載のグローブ。
【請求項１２】
ループ（２９）は、撓む、または弾性のあるバンドからなることを特徴とする、請求項１０または請求項１１に記載のグローブ。
【請求項１３】
ループ（２９）は、手を挿入するための開口部よりも幅が狭いことを特徴とする、請求項１０〜１２のいずれかに記載のグローブ。
【請求項１４】
ループ（２９）は、グローブの前半分に、グローブの先端から少し離れて配置されていることを特徴とする、請求項１０〜１３のいずれかに記載のグローブ。
【請求項１５】
グローブは、周囲の３辺で互いに接合された２つの層からなることを特徴とする、請求項１〜１４のいずれかに記載のグローブ。
【請求項１６】
グローブの内面の各々に少なくとも１つのループが配置されていることを特徴とする、請求項１〜１５のいずれかに記載のグローブ。
【請求項１７】
清掃ファイバ、清掃糸（１５）などが設けられた少なくとも第１の清掃面（１３）を有する清掃およびグルーミンググローブ（１１）であって、
グローブは、手を挿入方向（２６）に挿入するための開口部（２５）を有する袋状であり、グローブの少なくとも１つの内面（２７）に、手または数本の個々の指が挿入される少なくとも１つのループ（２９）が配置されていることを特徴とする、清掃およびグルーミンググローブ。
【請求項１８】
ループ（２９）は、生地バンドまたはプラスチックバンドからなることを特徴とする、請求項１７に記載のグローブ。
【請求項１９】
ループ（２９）は、撓まないバンドからなることを特徴とする、請求項１７または請求項１８に記載のグローブ。
【請求項２０】
ループ（２９）は、手を挿入するための開口部よりも幅が狭いことを特徴とする、請求項１７〜１９のいずれかに記載のグローブ。
【請求項２１】
ループ（２９）は、グローブの前半分に、グローブの先端から少し離れて配置されていることを特徴とする、請求項１６〜１９のいずれかに記載のグローブ。
【請求項２２】
グローブは、周囲の３辺で互いに接合された２つの層からなることを特徴とする、請求項１７〜２１のいずれかに記載のグローブ。
【請求項２３】
グローブの内面の各々に、少なくとも１つのループ（２９）が配置されていることを特徴とする、請求項１７〜２２のいずれかに記載のグローブ。
【請求項２４】
請求項１〜１４のいずれかと組合わされた、請求項１７〜２３のいずれかに記載のグローブ。
【請求項２５】
動物用グルーミンググローブとして使用される、請求項１〜１６または１７〜２３のいずれかに記載のグローブ。
【請求項２６】
滑らかな面のための、特にラッカー面を清掃するための清掃およびグルーミンググローブとして使用される、請求項１〜１６または１７〜２３のいずれかに記載のグローブ。
【請求項２７】
請求項１〜１６または１７〜２３のいずれかに記載のグローブと、動物の外被用の栄養分および／またはグルーミング溶液を含むスプレーボトル（３１）とを有する、動物用グルーミングキット。
【請求項２８】
請求項１〜１６または１７〜２３のいずれかに記載のグローブと、スプレーボトル（３１）と、動物の外被用の栄養分および／またはグルーミング溶液とを有する、動物用グルーミングキット。
【請求項２９】
栄養分および／またはグルーミング溶液は水性であることを特徴とする、請求項２８に記載の動物用グルーミングキット。
【発明の詳細な説明】
【技術分野】
【０００１】
この発明は、請求項１の導入部に従ったグローブ、このグローブの動物用グルーミンググローブとしての使用、および請求項２６または２７に従った動物用グルーミングキットに関する。
【背景技術】
【０００２】
家庭用動物のためのさまざまなグルーミング手段が商業的に入手可能である。それらは特に、多数の異なる洗浄手段と、動物の外被をグルーミングするためのブラシおよび櫛とを含む。ブラシは、容易に手に保持できるという利点を有する。ブラシは主に、外被から抜け毛を除去するのに好適である。ＵＳ３，７４９，０６４は、犬を入浴させるための装置、より正確には、犬を洗浄し、乾かし、スプレーをかけるかまたはノミの駆除をするための装置に関する。この装置は、グローブがその各面に取付けられたハウジングからなる。グローブにはブラシ、リブ、剛毛またはスポンジが取付可能である。これらのさまざまな作業面を、グローブの手の部分にクリップ留めするかまたは引きはがすことができる。特定の一実施例によれば、グローブの一方の面にはスポンジが設けられ、その他方の面には櫛またはブラシが設けられる。
【０００３】
ＵＳ４，９０２，２８３は、乳児をきれいにするためのミトンに関する。このミトンは、３辺でともに接合されて袋状のグローブまたはミットを形成する数層からなる。ミットの内部で互いに面する層は、綿などから作られた吸収性の層によって外側を包囲された撥水性のプラスチック層からなる。使用後、ミトンは裏返され、その開放端が閉じられて、ミットはゴミ箱に捨てられる。容易に裏返すために、内側の指先の領域にリングが設けられ、そこに中指が挿入される。ユーザがリングを引くと、グローブは内側に裏返される。使用中、リングはグローブを手に固定させる役割も果たしてもよい。
【０００４】
ＵＳ４，６７０，９３０は、ユーザの手を収容するポケットの形をした清掃グローブを開示している。この清掃グローブは特に車を洗浄する役割を果たす。グローブの外側には異なる清掃面が設けられている。グローブの前側は、ガラス、金属またはプラスチックなどの滑らかな表面を清掃するための毛で覆われた表面を有する。他方、グローブの裏側には剛毛が設けられている。清掃グローブがユーザの手から抜けないよう、開口部はグローブ本体の残りよりも小さく作られている。
【０００５】
ＥＰ−Ａ−０  ５１２  ６９５は、動物にブラシをかけるための多孔質の３次元シート材料を開示している。このシート材料は紐によって手に固定され得る。第１の実施例によれば、２層の材料が、縁を溶接することによってともに接合され、ミトンを形成する。手首の領域でミトンは幅が狭くなっており、そのためそれは、使用の際、手から容易には抜けない。別の実施例によれば、このシート材料には、それをユーザの手に固定するためにその裏側に紐が設けられている。
【発明の開示】
【発明が解決しようとする課題】
【０００６】
容易に使用でき、細かい汚れとより粗い汚れの両方、および強力に付着した汚れを、滑らかな面または構造化された面から除去できる、効率の良い清掃手段に対する要望が、かなり一般的に存在している。
【０００７】
この発明の目的は、滑らかな面または構造化された面、特に自動車のラッカー面または
プラスチック面の清掃に特に好適なグローブを利用可能にすることである。別の目的は、手に良く適合し、どんな年齢または身長の人も保持できるようなグローブを利用可能にすることである。さらに別の目的は、毛だけでなく異物も外被から除去できる、動物の外被用のグルーミング手段を利用可能にすることである。さらなる目的は、グルーミング材料および／または栄養分を動物の外被に塗布できる手段を提案することである。
【課題を解決するための手段】
【０００８】
この発明によれば、この目的は、２つの異なる清掃面、つまり、マイクロファイバで覆われた第１の清掃面と、第１の清掃面とは異なっており、ブラシタイプのカバリングを有する第２の清掃面とを有する清掃グローブを提供することによって達成される。ブラシタイプのカバリングは、滑らかな面または構造化された面から、頑固なパッチ、たとえば蝿または虫の糞、もしくは他の強力に付着した汚れすらも除去するために使用可能であるという利点を有する。ブラシタイプのカバリングは、天然およびプラスチックの剛毛の双方から形成されてもよい。一般的な原則としては幅広い範囲のプラスチック材料が使用されてもよいが、ポリエステル、ポリアミンおよびポリカーボネートプラスチックがこの点に関して好まれる。
【０００９】
特に好ましい一実施例によれば、個々の剛毛ではなくむしろ剛毛の束が使用され、その各々は複数の細い個々の剛毛からなる。個々の剛毛の断面は丸いかまたは平坦であってもよい。好ましくは、剛毛の束はバンドヤーンまたはマルチフィルファイバ（Multifilfasern）から作られる。これは、それらを生成する簡単かつ経済的な方法である。なぜなら、バンドヤーンまたはマルチフィルヤーンは、扇形に広がるかまたは裂けて複数の別個の小さな剛毛になるか、または、機械的手段の助けによってそのように裂かれ得るためである。この発明に関連して、バンドヤーンという用語は、１つ以上の小さなバンドから紡がれたヤーンを指すものとして理解されるべきであり、この場合、小さなバンドも繊維状構造であってもよい。繊維状構造の小さなバンドは、改良された機械的清掃効果を有するという利点を持つ。剛毛の束は、有利には、長さが２〜８ｍｍであり、好ましくは２〜６ｍｍ、さらにより好ましくは３〜５ｍｍの長さを有する。
【００１０】
剛毛は有利には剛毛の束に束ねられ、第２の清掃面の基布に目立たない点で留められる。剛毛が束となって設けられると、高密度の個々の小さな剛毛が実現される。剛毛の束は、好ましくは、互いから等距離となるよう配置される。ブラシタイプのカバリングは、剛毛または剛毛の束をパイル糸として基材に導入することによって生成可能である。これは、当業者には周知の房付け法または他の生成法によって行なわれ得る。好ましくは、最初に、パイル糸によって接合されたダブルクロスが生成される。次にパイル糸が切断され、そのため布地面の双方にブラシタイプのカバリングが設けられる。剛毛または剛毛の束は、好ましくは、互いから一定の距離で配置される。個々の剛毛の束間の距離は０．１〜４ｍｍ、好ましくは１〜３ｍｍであってもよい。特に好ましいのは、剛毛の束を互いから隔てる平均距離が平均して１．５ｍｍ〜約２．５ｍｍである配置である。好ましくは、複数の個々の剛毛からなる剛毛の束は、列をなして配置され、基布に目立たない点で留められ、隣接する列同士の剛毛の束は、好ましくは、互いに対してずれるよう配置される。列同士を互いから隔てる距離は、好ましくは１ｍｍ〜２ｍｍであり、さらにより好ましくは約１．５ｍｍである。剛毛は、ポリエステル、ポリアミド、ポリオレフィン、ポリアクリロニトリル、または他のポリマーから作られてもよい。
【００１１】
有利には、第１の清掃面にはマイクロファイバのパイルが設けられる。パイルのマイクロファイバは、有利には、５ｄｔｅｘ（デシテックス）以下、好ましくは２ｄｔｅｘ以下、さらにより好ましくは１ｄｔｅｘ以下の繊度（Staerke）を有する。
【００１２】
マイクロファイバは、好ましくは、非吸収性の材料、たとえばポリエステル、ポリアミ
ド、ポリオレフィン、ポリアクリロニトリル、または他のポリマープラスチックから作られる。毛管効果のため、そのような細いマイクロファイバで作られた糸は、マイクロファイバ自体が非吸収性であるにもかかわらず、比較的大量の水分を吸収し、次にそれを同じように容易に再度産出することができる。さらに、マイクロファイバは機械的清掃効果を有する。マイクロファイバは好ましくは、組合わされて糸になり、それがパイル糸として清掃面に留められる。当業者は、パイル糸を基材（編まれた、または織られた布地）に導入するためのさまざまな生成手法に精通している。２枚の織られた基布が好ましくは生成され、それらはまず、パイル糸によって互いに接合される。パイル糸が中央で切断されると、直立したパイル糸を有する２枚の織られた布地が得られる。複数のマイクロファイバで作られた糸はまた、ループまたはスリング（Schlingen）（ループするパイル）の形を有していてもよい。
【００１３】
この発明に従ったグローブのさらに有利な実施例は、従属請求項によって規定される。
【００１４】
この発明の第２の、独立した局面によれば、グローブは、手を入れるための開口部を有する袋の形に作られ、グローブの内面の少なくとも１つには、ユーザが手または個々の指を入れられるループが配置されている。手の幅に依存して、２〜４本の指がループに挿入されてもよい。指をループに挿入すると、手とグローブとの相対的な動きがすべて、効果的に防止される。
【００１５】
好ましくは、グローブは、周囲の３辺で互いに接合された、異なる清掃面を有する２つの層からなる。２つの層は、有利には、縫製によって接合される。有利には、ループの幅は、清掃面が設けられた層の幅よりも短い。これは、ループと清掃面が形成された層との間に、角を清掃する際に向きを変えることができる、または溝を清掃するのに使用できる帯状の材料が残るという利点を有する。
【００１６】
有利には、ループはグローブの前半分に、グローブの先端から少し離れて配置される。つまり、ループに手が入ると、ループは中手骨関節と指節間関節との間の領域の指を受入れる。
【００１７】
有利には、ループは生地またはプラスチックの紐から作られる。一般的な原則としては撓まない、または非弾性的な紐がループとして使用できるが、ループは好ましくは、撓む、または弾性のある紐によって構成される。弾性のある紐は、どのような手の幅にも適合でき、最適なグリップを提供する、という利点を有する。グルーミンググローブの両面が効果的に使用される場合、グローブの両方の内面に少なくとも１つのループを設けることが好ましい。ユーザが一方の清掃面から他方に変える際、ユーザは手を、反対側の内面にあるループに挿入することができる。
【００１８】
この発明の第２の局面に従ったグローブのさらに有利な実施例は、従属請求項によって規定される。
【００１９】
この発明はさらに、ブラシタイプのカバリングにも関与しており、それは、バンドヤーンまたはマルチフィルヤーンからなるパイル糸によって互いに接合される２枚の生地シート構造または織られた布地の生成、たとえば含浸、接着または溶接によるパイルヤーンの基布への連結、および、パイル糸の好ましくは中央での切断による、ブラシタイプのカバリングを有する２枚の基布の形成によって得ることができる。剛毛の束を形成する場合、個々のマルチフィルヤーンまたはバンドヤーンの剛毛はさらに処理され、機械的手段の助けによって裂かれ、こうして剛毛の束を形成する。
【００２０】
この発明はさらに、動物をグルーミングするためのグローブとしての上述のグローブの
使用にも関与する。動物をグルーミングする分野では、幅広い範囲の付属品が既に使用されているが、動物の外被をマイクロファイバ面でグルーミングする、および／または清掃するということは、これまで誰も考えつかなかった。発明者が非常に驚いたことに、たとえば犬の場合、マイクロファイバおよび／またはマイクロファイバ清掃面で外被を定期的にグルーミングすることにより、不快な臭いの形成を実質的に抑制できる、ということがわかった。これは恐らく、動物によって分泌され、後に毛に付着して臭いを発生しがちである物質が、マイクロファイバによって少なくとも部分的に除去され得るためであろう。剛毛を有する第２の清掃面が設けられる場合、特に有利な動物用グルーミンググローブが得られる。ブラシタイプのカバリングにより、動物の外被を丹念に櫛で梳き、フケを除去し、硬い異物および溶解した異物の双方を除去することができる。さらに、ブラシタイプのカバリングは、外被の艶も出す。
【００２１】
マイクロファイバを有するグローブの第１の清掃面と剛毛の束を有する第２の清掃面とを設けることによって、動物の外被をグルーミングするための効率のよい用具が利用可能となる。好ましくは非吸収性のプラスチック材料から作られたマイクロファイバは、十分に細いマイクロファイバが使用される場合、動物の外被を湿らせるのに特に好適となる。つまり、採用されるマイクロファイバの細さが特に重要である。好ましくは５ｄｔｅｘ未満、さらにより好ましくは１ｄｔｅｘ未満の繊度を有する、特に細いマイクロファイバを使用すると、毛管効果によって、比較的大量の水が引込まれて保持され得る。毛管効果によってマイクロファイバに、および／またはマイクロファイバ間に保持されている水は、清掃面が外被に接触すると、容易に外被に移され得る。ブラシタイプのカバリングにより、移された水分は外被に入り込めるようになる。さらに、剛毛は外被から異物を除去できる。この動物用グルーミンググローブでグルーミングすると、動物の外被は磨かれ、すばらしい艶が出る。
【００２２】
この発明はまた、請求項１〜１６または請求項１７〜２４のいずれかに記載の動物外被グルーミンググローブと、動物外被用の栄養分および／またはグルーミング溶液を含むスプレーボトルとを有する動物外被グルーミングキットにも関与する。栄養分および／またはグルーミング溶液は、好ましくは、動物の外被をグルーミングし清掃するための天然物質を含む。有利には、栄養分および／またはグルーミング溶液はアユルベーダ物質を含む。これらの物質は、殺菌性のもの、および／または香りを保つものであってもよい。有利には、栄養分および／またはグルーミング溶液は水性である。
【発明を実施するための最良の形態】
【００２３】
ここで、この発明を、図面を参照してより詳細に説明する。
【００２４】
図１〜３に示すような、この発明に従ったグローブ１１には、マイクロファイバ１５からなるパイルを有する第１の清掃面１３と、ブラシタイプのカバリング１９が設けられた第２の清掃面１７とが設けられている。マイクロファイバ１５とブラシタイプのカバリング１９とは、基布（メリヤス、編まれた、または好ましくは織られた布地）２１および／または２３に公知の態様で留められている。基布２１、２３は矩形片で、それらの縁は３つの辺に沿って縫い目２４により縫い付けられている。グルーミンググローブは開口部２５を有しており、それを通して手が、ミトンとしてデザインされたグローブ内へ、挿入方向２６（矢印）に挿入される。
【００２５】
第１の清掃面は、マイクロファイバを有するカバリングを有する。マイクロファイバは、５０ｄｔｅｘ以下、好ましくは２５ｄｔｅｘ以下、さらにより好ましくは１０ｄｔｅｘ以下の繊度を有する。特に好ましい一実施例によれば、ファイバは、０．１〜２ｄｔｅｘの繊度を有する。各々の場合、複数のファイバが組合わされて糸になり、結合されて基布になる。突出する糸の長さは１ｍｍより長く、好ましくは５ｍｍより長く、さらにより好
ましくは８ｍｍより長い。糸は、好ましくは、十分に伸ばされた状態で好ましくは５ｍｍ以上、さらにより好ましくは７ｍｍ〜１５ｍｍの長さを有するスリングの形をしている。マイクロファイバのカバリングは、柔らかく閉じられた表面を形成するよう、十分に密集している。
【００２６】
第２の清掃面のブラシタイプのカバリングは、目立たないように留められた剛毛の束からなる。剛毛の束の小さな剛毛は、好ましくは、ポリプロピレン、ポリエステル、ポリアミン、ポリカーボネートなどで作られるが、ポリプロピレンが好ましい。剛毛の束は、平均して少なくとも１０本、好ましくは２０本を超える、さらにより好ましくは５〜５０本の小さな剛毛からなる。小さな剛毛は、剛毛の束において識別され得る剛毛先端部として理解されるべきである。小さな剛毛は、組合わされて剛毛の束となり、剛毛が表面から直立して、好ましくはほぼ直角に突出するように布地に留められる。剛毛を連結する目的で、それらはまた、基材または基布に含浸、接着または溶融されてもよい。粘弾性の剛毛は、好ましくは、基布から２ｍｍを超えて、好ましくは３ｍｍを超えて最大５ｍｍまでの長さにわたり、ほぼ直角に突出する。２ｍｍ〜３．５ｍｍの剛毛長さは特に有利であることがわかっている。２つの対向する清掃面の異なる機能性を特徴づけるために、剛毛とマイクロファイバには異なる色が与えられてもよい。
【００２７】
この発明の別の局面によれば、グローブ１１の内面２７にループ２９が設けられる（図２）。ループ２９はグルーミンググローブの前半分に配置され、その幅はグローブ１１の幅より短い。手の幅に依存して、手全体または個々の指をループ２９に挿入してもよい。手または指をループに挿入すると、たとえば動物の外被をグルーミングするためにグローブを使用している間にグローブが滑ることが効果的に防止される。ループ２９は、好ましくは、その長さを変更可能な、生地またはプラスチック材料で作られた弾性のあるバンドである。
【００２８】
グローブは、グローブの側に縫われた第２のループ３０により、フックに吊るすことができる。
【００２９】
この発明に従った動物外被グルーミンググローブは、動物外被のしっとりしたグルーミングに特に好適である。この発明によれば、このように、動物外被グルーミンググローブとスプレーボトル３１とを有する動物外被グルーミングキットが提案される。スプレーボトルには、ボトルの液体内容物を霧状にするためのノズル３３が設けられている。この動物外被グルーミングキットは、栄養分およびグルーミング溶液を外被に塗布するのに特に好適である。これらは、臭いの形成を防止する添加物、殺菌性物質なども含んでいてもよい。好ましくは、アユルベーダ溶液が使用される。
【００３０】
動物外被グルーミンググローブ、および／または動物外被グルーミングキットは、以下のように使用される。所望の水性グルーミング溶液をスプレーボトルに充填する。次に、グルーミンググローブのマイクロファイバ面を、ノズルを用いて湿らせる。毛管効果により、水性溶液がマイクロファイバ面に浸透する。次に、マイクロファイバの清掃面を、動物の外被全体にわたり、若干圧力をかけて動かすことによって、水分が動物の外被に移る。この塗布は、外被全体がしっとりするまで数回繰返されてもよい。次に、動物の外被にブラシタイプのカバリングが作用する。第２の清掃面の細い剛毛が、水分を外被全体に分配し、同時に、いかなる異物も除去する。動物の外被は、ここに説明されたようなグルーミングによって磨かれ、自然の光沢を呈する。
【００３１】
実施例の例：
パイル織：  ＰＰ（ポリエチレン）
裏地織（Rueckengewebe）：  ＰＥＳ（ポリエーテルサルホン）
単位面積当たりの重量：  ３８０ｇ／ｍ２
直立したパイルを有する第２の清掃面の総厚：  ３ｍｍ
スリングの長さ：  １０ｍｍ
ここに説明したこの発明は、動物の外被用のグローブおよびグルーミングキットに関する。このグローブは、マイクロファイバからなる少なくとも１つの第１の清掃面と、ブラシタイプのカバリングを有する第２の清掃面とを含む。マイクロファイバ面は、毛管作用により、大量の水分を保持することができ、前記水分は次に、グルーミングされる動物の外被に、その外被がマイクロファイバ面でグルーミングされる際に容易に移される。剛毛の個々の束からなるブラシタイプのカバリングは、水分を外被の内部に移し、同時に、前記外被から異物を除去するために使用される。グローブの内部には、個々の指または随意で手全体を挿入してもよいループが設けられている。このループは良好なグリップを可能にし、手がグローブの中で滑らないことを確実にする。
【図面の簡単な説明】
【００３２】
【図１】この発明に従ったグローブの斜視図である。
【図２】裏返された状態の図１のグローブを示す図である。
【図３】正面から見た、袋状のグローブの内部を示す図である。
【図４】動物用グルーミンググローブと、グルーミングおよび／または清掃用溶液を含むスプレーボトルとからなる動物用グルーミングキットを示す図である。
【符号の説明】
【００３３】
１１  清掃および／またはグルーミンググローブ、１３  第１の清掃面、１５  マイクロファイバ、１７  第２の清掃面、１９  ブラシタイプのカバリング、２１  マイクロファイバ面の基布、２３  ブラシタイプのカバリングの基布、２４  縫い目、２５  グローブの開口部、２６  挿入方向、２７  内面、２９  ループ、３０  グローブを吊るすための第２のループ、３１  スプレーボトル、３３  ノズル。
【図１】
2005510219.tif 000003
【図２】
2005510219.tif 000004
【図３】
2005510219.tif 000005
【図４】
2005510219.tif 000006
【手続補正書】
【提出日】平成15年11月21日(2003.11.21)
【手続補正１】
【補正対象書類名】特許請求の範囲
【補正対象項目名】請求項１
【補正方法】変更
【補正の内容】
【請求項１】
２つの異なる清掃面を有する清掃グローブであって、第１の清掃面（１３）はファイバ（１５）で覆われ、第１の清掃面（１３）とは異なる第２の清掃面（１７）は、互いに少し離れて配置された複数の剛毛の房で作られたブラシ状のトリミング（１９）を有しており、
第１の清掃面（１３）のファイバはマイクロファイバ（１５）であり、剛毛の房はバンドヤーンまたはマルチフィルヤーンからできており、バンドヤーンまたはマルチフィルヤーンは、扇形に広がるかまたは裂けて複数の個々の小さな剛毛になることを特徴とする、清掃グローブ。
【国際調査報告】
2005510219.tif 000007
2005510219.tif 000008
2005510219.tif 000009
2005510219.tif 000010
2005510219.tif 000011
2005510219.tif 000012
2005510219.tif 000013
2005510219.tif 000014
2005510219.tif 000015